(57)【要約】【課題】表示装置を視聴している人が子供である場合に、映像の視聴を途中でやめさせることが可能な表示装置および表示制御方法を提供する。【解決手段】表示装置において、操作入力部からの入力に従い、表示装置の機能を実行する際に、表示装置の視聴者を判別する視聴者判別部により視聴者の判別を行い、視聴者が子供であった場合には操作入力部で入力された表示装置の機能を実行する前に、視聴者に応じた映像を表示する。【選択図】図１
2014212486.tif 000002
【特許請求の範囲】
【請求項１】
映像を表示する表示部と、前記表示部に表示する映像を制御する表示制御部と、表示装置を操作するための情報を入力する操作入力部と、表示装置を使用する視聴者を判別する視聴者判別部と、を備える表示装置であって、
前記視聴者判別部の判別結果を元に特定の映像を表示するか否かを判定する映像表示判定部を更に備え、
前記表示装置の特定の機能を実行する際に、
前記映像表示判定部は前記視聴者判別部によって判別される視聴者が所定の条件を満たすか否かによって特定の映像を表示するか否かを判定し、
前記映像表示判定部が特定の映像を表示すると判定した際には、
前記表示制御部は、前記表示装置の特定の機能を実行する前に特定の映像を表示することを特徴とする表示装置。
【請求項２】
前記表示制御部によって表示される特定の映像は、
前記視聴者判別部の判別結果に基づいて選択され、視聴者ごと、あるいは視聴者の年齢毎に決められた、前記表示装置の特定の機能の処理に先立って表示される前記視聴者へ向けたメッセージを示すメッセージ映像であることを特徴とする請求項１に記載の表示装置。
【請求項３】
表示装置の視聴後に視聴者に促す行動を指定する行動指定部を更に備え、
前記メッセージ映像は、前記行動指定部によって指定される行動に依存して異なる映像であることを特徴とする請求項２に記載の表示装置。
【請求項４】
表示装置を使用する視聴者の映像を入力する映像入力部を更に備え、
前記視聴者判別部は、前記映像入力部によって入力された画像から顔検出により視聴者を判別することを特徴とする請求項１から３までのいずれか１項に記載の表示装置。
【請求項５】
前記特定のメッセージ映像を表示する時間を判定する時間判定部を更に備え、
前記行動指定部によって前記時間に対応した行動を記憶すると共に、
前記時間に対応した前記表示装置の特定の機能を記憶しておき、
前記時間判定部が、メッセージ映像を表示する時間であると判定した場合に、前記行動指定部によって指定された行動に従ったメッセージを表示した後、前記特定の機能を実行することを特徴とする請求項４に記載の表示装置。
【発明の詳細な説明】
【技術分野】
【０００１】
本発明は、表示装置の機能を実行する際の画面遷移動作を規定する表示装置に関する。
【背景技術】
【０００２】
従来、テレビなどの映像表示装置を見ている視聴者が子供である場合に、様々な目的で表示装置の表示内容を変える、あるいは警告を表示する他、表示装置の電源を切るといった視聴条件を変える機能が提案されている。
【０００３】
下記特許文献１には、視聴者を認識し、視聴者に応じた動作を行うことができる認識機能付表示装置が記載されている。表示装置に視聴者の眼の虹彩パターンを撮影する虹彩認識カメラを設け、虹彩パターンに基づいて視聴者を特定し、視聴者が幼児や未成年者の場合には、教育上悪影響を与える画面が表示されるときにチャンネルを切り替えたり、警告を発したり、電源を切ったりすることで、幼児や未成年者への悪影響を防止している。
【０００４】
また、下記特許文献２には、コンセントを備え、コンセントにテレビ受像機又はテレビゲーム機が接続され、接続したテレビ受像機又はテレビゲーム機の電源コードがコンセントから外れないように蓋をしてロックすると共に、子供が一定時間以上テレビ番組を見たりテレビゲームをしたりすれば、テレビ受像機の電源を強制的にオフする電源制御装置が記載されている。これにより、子供が長時間テレビを見ることやテレビゲームをすることを防止している。
【０００５】
また、下記特許文献３には、電源の供給をオフする時間帯として電源オフ時間帯を記憶し、現在時刻が電源オフ時間帯の範囲内に含まれているか否か判定し、含まれている場合は電源からの電源供給を禁止する電源制御機能を有する電源管理手段を備えるテレビ受信機が記載されている。これにより、テレビ映像のほかテレビゲームやビデオ映像の視聴も制限し、子供が深夜遅くまでこれらの映像を見続けてしまうことを防止することを可能にしている。
【先行技術文献】
【特許文献】
【０００６】
【特許文献１】特開２００１−０１６５１４号公報
【特許文献２】特開平０８−２３３９６３号公報
【特許文献３】特開２００６−３３３０２８号公報
【発明の概要】
【発明が解決しようとする課題】
【０００７】
このように、視聴者が子供である場合に自動で視聴の制限をする機能が提案されているが、親や保護者の都合により子供の映像視聴を強制的に制限したい事もある。このような時、特に子供が低年齢の場合には、子供が視聴中の映像を見続けたがる、あるいは何度も同じ映像を見たがる事が多く、提案されている機能のように強制的に映像表示を停止すると、子供がぐずりだしてしまうという課題もある。
【０００８】
特許文献１に記載の装置にあっては、子供に悪影響を与える映像や番組を見せないようにすることはできるが、途中で表示内容を変更したり電源を切ったりした場合に、映像が突然切り替わったり電源が落ちたりしたことを子供に納得させ、映像を見るのをやめさせることについては考慮されていない。
【０００９】
また、特許文献２に記載の装置にあっては、長時間映像を視聴し続けてしまうことを防止でき、また特許文献３の記載の装置にあっては深夜にテレビやゲームをすることを防止できるが、同様に子供が低年齢の場合に、映像視聴が出来なくなる事を納得させるような事については記載されていない。
【００１０】
本発明は、以上のような課題を解決するためになされたものであって、視聴者が子供である場合に、表示装置の機能を実行する際に可能な限り子供が泣き出したりせず、映像の視聴を途中でやめさせ、次の行動に移ることを促すことが可能な表示制御方法および表示装置を提供することを目的とする。
【課題を解決するための手段】
【００１１】
本発明の一観点によれば、映像を表示する表示部と、前記表示部に表示する映像を制御する表示制御部と、表示装置を操作するための情報を入力する操作入力部と、表示装置を使用する視聴者を判別する視聴者判別部と、を備える表示装置であって、前記視聴者判別部の判別結果を元に特定の映像を表示するか否かを判定する映像表示判定部を更に備え、前記表示装置の特定の機能を実行する際に、前記映像表示判定部は前記視聴者判別部によって判別される視聴者が所定の条件を満たすか否かによって特定の映像を表示するか否かを判定し、前記映像表示判定部が特定の映像を表示すると判定した際には、前記表示制御部は、前記表示装置の特定の機能を実行する前に特定の映像を表示することを特徴とする表示装置が提供される。
【００１２】
前記表示制御部によって表示される特定の映像は、前記視聴者判別部の判別結果に基づいて選択され、視聴者ごと、あるいは視聴者の年齢毎に決められた、前記表示装置の特定の機能の事項に先立って表示される前記視聴者へ向けたメッセージを示すメッセージ映像であることを特徴とする。
【００１３】
上記発明によれば、電源オフなどの表示装置の特定の機能を実行する前に、テレビの視聴している人の年齢や、テレビ視聴後の行動に応じて、特定の映像を表示することができる。
【発明の効果】
【００１４】
本発明によれば、視聴者が子供である場合に、視聴の中止を納得させることができる。
【図面の簡単な説明】
【００１５】
【図１】本発明の第１の実施形態における表示装置の一構成例を示す機能ブロック図である。
【図２】本発明の第１の実施形態における表示装置における処理の流れの一例を示すフローチャート図である。
【図３】本発明の第１の実施形態における表示装置の使用状況を示す図である。
【図４】映像入力部により入力される映像例を示す図である。
【図５】表示装置の機能実行前に挿入する映像例を示す図である。
【図６】本発明の第２の実施形態における表示装置の一構成例を示す機能ブロック図である。
【図７】本発明の第２の実施形態における操作入力部を示すブロック図である。
【図８】本発明の第２の実施形態における表示装置における処理の流れの一例を示すフローチャート図である。
【図９】操作入力部の外観を示す図である。
【図１０】情報設定部で保持する情報を示す図である。
【図１１】本発明の第３の実施形態における表示装置の一構成例を示す機能ブロック図である。
【図１２】本発明の第３の実施形態における表示装置のフローチャート図である。
【図１３】図１２のフローチャート図における処理Ａを示すフローチャート図である。
【図１４】本発明の第４の実施形態における表示装置の一構成例を示す機能ブロック図である。
【図１５】本発明の第５の実施形態における表示装置の一構成例を示す機能ブロック図である。
【図１６】本発明の第５の実施形態２における操作入力部を示すブロック図である。
【発明を実施するための形態】
【００１６】
（第１の実施形態）
以下に、本発明の実施形態について、図面を参照しながら詳細に説明する。尚、各図面における各部の大きさ等は理解を容易にするため大小関係を誇張して記載しており、実際の大きさとは異なる。
【００１７】
図１は、本発明の第１の実施形態における表示装置の一構成例を示す機能ブロック図である。
【００１８】
表示装置１００は例えば液晶表示装置であり、例えば表示装置１００を操作するためのユーザーからの入力を受け付けるリモコンである操作入力部１０１、操作入力部１０１からの入力に従い、表示装置１００を制御する機能制御部１０２、表示部に表示する表示内容や画質等を制御する表示制御部１０３、液晶パネルによって構成され映像を表示する表示部１０４、表示装置１００の表示部側の映像を取得するカメラ等である映像入力部１０５、映像入力部１０５からの映像に従い視聴者を判別する視聴者判別部１０６、視聴者判別部１０６の結果に基づき、視聴者が所定の条件を満たすか否かを判定し、表示制御部１０３に映像を表示するか否かを判定する映像表示判定部１０７、表示装置全体の電源管理を行う電源制御部１０８と映像や各種設定値等を記憶する記憶部１０９、を有している。表示制御部１０３は、映像の色合いや輝度を制御するだけでなく、放送波を受信するチューナーも含み、表示内容も制御する。また、記憶部１０９はハードディスクやフラッシュメモリ、あるいはＤＲＡＭ（Ｄｙｎａｍｉｃ  Ｒａｎｄｏｍ  Ｍｅｍｏｒｙ）といった半導体記憶装置や磁気記憶装置等である。
【００１９】
図２は表示装置における処理の流れを示すフローチャートであり、これに従い各部の機能詳細について説明する。
【００２０】
図３は、本実施の形態の表示装置１００を使用する際の使用状況を示す図である。表示装置１００の前面には、視聴者である幼児１１０が映像を視聴しており、少し離れた位置に幼児１１０の親１１１がいる状況を例示している。操作入力部１０１は、電源ボタン１１２とチャンネル切り替えボタン１１３を備え、親１１１が保持している。表示装置１００は表示部１０４に映像を表示しており、カメラである映像入力部１０５は幼児１１０を撮影している。
【００２１】
親１１１が、子供に映像の視聴を止めさせるために、操作入力部１０１により電源ボタン１１２を押し、電源を切る操作をしたとする（図２のステップＳ１０）。機能制御部１０２は操作入力部１０１から得られる情報を元に、表示装置上で実行する機能を特定する（ステップＳ１１）。ここで特定される機能は電源のオフ等である。なお、操作入力部１０１からの信号は、操作入力部１０１と機能制御部１０２内に備えられる赤外線送受信部によって行われる。
【００２２】
機能制御部１０２は、操作入力部１０１によって指示された機能を実行する前に、映像表示判定部１０７からの映像表示指示があるか否かを確認する。映像表示指示は、映像入力部１０５から表示装置前の映像を取得し（ステップＳ１２）、この映像を視聴者判別部１０６によって顔検出処理、年齢推定処理を行い（ステップＳ１３）、視聴者の年齢が閾値以下か否かを判定し（ステップＳ１４）、視聴者の年齢があらかじめ設定された閾値以下の場合等に映像表示判定部１０７から機能制御部１０２へ送られる。
【００２３】
図４は、図３において映像入力部１０５で撮影されたカメラ映像の例を示している。カメラ映像１１４には、表示装置１００の前で映像を視聴している子供１１０が映っている。視聴者判別部１０６は、このカメラ画像１１４から顔検出処理を行う。顔検出処理は、顔検出を行いたい画像に対して、探索窓（例えば８ピクセル×８ピクセルのような判定領域)を左上から走査して順番に動かし、探索窓の領域毎に顔と認識できる特徴点を持つ領域があるか否かを判定することによって検出する。この顔検出の方法としては、Ｖｉｏｌａ−Ｊｏｎｅｓ法となど、様々なアルゴリズムが提案されている。図４に点線で示す矩形領域１１６がこの顔検出結果を示しており、前記処理によって顔領域を検出する。検出した顔領域に対して、各器官検出（鼻や目、口の位置等）処理を行い、この結果に基づき検出された人物の年齢推定を行う。すなわち、あらかじめ映像入力部１０５によって表示装置１００の使用者となりうる候補者の顔画像やその顔画像に対応する名前が登録されている場合には、器官検出の結果である鼻や目の位置を始めとする情報から視聴者が誰かを判別し、その視聴者の年齢を判別する。登録されていない場合には、各器官検出の結果に応じて、あらかじめ年齢毎に顔器官検出結果の特徴量をまとめたデータベースを参照することで、視聴者の年齢を推定することもできる。これら顔検出方法や年齢推定方法についての詳細は、省略する。
【００２４】
映像表示判定部１０７は、視聴者判別部１０６によって推定される視聴者年齢を元に、あらかじめ設定された閾値と比較し、年齢が閾値以下の場合には映像表示指示を送る。機能制御部１０２は、映像表示判定部１０７からの映像表示指示があるか否かを判定し、指示がある場合には操作入力部１０１から指定された機能を実行する前に、特定の映像を表示部１０４に表示するよう表示制御部１０３に通知する。年齢が閾値より上の場合（ステップＳ１４でＮ）、すなわち映像表示指示がない場合には、機能制御部１０２は操作入力部１０１によって指定された機能を実行する（ステップＳ１７）。
【００２５】
表示制御部１０３は、機能制御部１０２からの情報を元に、例えば記憶部１０９に保存された特定の映像を表示部１０４に表示する（ステップＳ１５）。ここで表示する映像の例を図５に示す。図５には、表示部１０４に表示された映像の様子を示している。例えば動物のキャラクタ１１７が表示され、吹き出し１１８には「今日の番組はここまで。続きはまた今度」など、子供に映像表示を終わることを示唆するメッセージをメッセージ映像として表示する。同時に、音声で同様のメッセージで呼びかけてもよい。
【００２６】
なお、ここでは動物のキャラクタとしたがこれ以外のキャラクタでも良く、子供が好きなキャラクタ、あるいは子供が見るのを嫌がるようなキャラクタなど様々なキャラクタでも良い。また、親や保育園等の先生、有名人等が、その機能に対応したメッセージを話すようなカメラで撮影された実写映像であっても良い。
【００２７】
そして、表示制御部１０３は、映像表示後、視聴者判別部１０６により表示装置１００の前にまだ子供がいるか否かを確認し、いる場合には図５のような映像表示を繰り返す。子供がいなくなったと判断した場合には（ステップＳ１６でＮ）、機能制御部１０２に映像表示が終了したことを通知する。機能制御部１０２はその通知に従い、電源制御部１０８を通じて表示装置１００の機能、例えば電源をオフ状態にする（ステップＳ１７）。
【００２８】
このように、操作入力部１０１であるリモコン等を通じて指示された機能を実行する際に、子供がいるか否かを判定し、子供がいる場合には、その機能を実行することを子供に納得させるような映像を提示する。これにより、子供が視聴中の映像が消えてしまうことに対して嫌がることを防止する、あるいは繰返し何度も同じ映像を見たがることを抑制する事が可能となる。
【００２９】
また、映像入力部であるカメラを用いて視聴者の判別を行う事により、視聴者が子供か否かをその都度、親が選択することなく、自動で特定の映像を挿入するか否かを判別することが可能となる。
【００３０】
また、映像表示後の子供の状態を映像入力部１０５で取得し、表示装置の前から移動したか否か、すなわち画面上であらかじめ決められた一定のエリア内から子供がいなくなったか否かを判定するなどして、状況を把握した上で機能の実行を行うか否かを判断する事で、より映像表示の効果が高くなる。また、表示装置の前にいる、いないといった在・不在情報だけでなく、例えば顔検出結果から表情を認識して、表情に応じて制御するようにしても良い。例えば、笑顔であれば子供が機能を実行することに納得していると判断することで、不要な映像表示を避けることができる。
【００３１】
なお、ここでは操作入力部１０１はリモコンであるとしたが、このリモコンはスマートフォンやタブレット端末等であっても良く、また表示装置本体に備えられた物理ボタンであっても良い。表示装置１００は液晶表示装置であるとしたが、液晶に限らずプラズマディスプレイや有機ＥＬ（Electroluminescence）等であっても良く、テレビに限らずタブレット等の表示装置であっても良い。
【００３２】
また、映像入力部１０５は表示装置１００に含まれる構成としたが、ここで示した例のようにテレビに内蔵する形であっても、外付けにより別途追加する構成であっても良い。
【００３３】
また、図３において示す使用環境において、子供と親のいる環境としたが、このような家庭を想定した環境に限らず、託児所のように親以外の保護者がいる状況等、様々な使用環境でも適用することが可能である。
【００３４】
図３に示す操作入力部１０１に示したチャンネル切替ボタン１１３を押した場合には、図５における表示映像において、異なる映像に切替ることを伝えるメッセージ映像を表示すると良い。映像表示後、表示制御部１０３はチャンネルの切替を行う。このように、電源のオフやチャンネルの切替、その他各種機能ごとにメッセージ映像を用意して表示することにより、子供が視聴中であっても、できる限り子供が不快にならないようにしながら、様々な機能を実行することが可能となる。
【００３５】
また、ここでは、顔検出、認識により子供がいなくなった事を確認して機能を実行するとしたが、簡易的には一定時間、あるいは映像コンテンツ終了時点で機能を実行するようにしても良い。
【００３６】
子供の年齢閾値について、ここではあらかじめ設定してあるものとしたが、別途、設定部等を設けてユーザーが自由に閾値を設定できるようにしても良い。
【００３７】
以上、本実施の形態によれば、視聴者が子供である場合に、視聴の中止を納得させることができる表示装置の機能を実行する際に可能な限り子供が泣き出したりせず、映像の視聴を途中でやめさせることが可能となるという効果が得られる。
【００３８】
（第２の実施形態）
本発明の第２の実施形態について、図面を参照しながら説明する。図６は、本発明の第２の実施形態における表示装置の構成を示す機能ブロック図である。
【００３９】
表示装置２００は、例えば液晶表示装置であり、液晶表示装置２００を操作するためのユーザーからの入力を受け付けるリモコンである操作入力部２０１、操作入力部２０１からの入力に従い、表示装置２００を制御する機能制御部２０２、表示部に表示する表示内容や画質等を制御する表示制御部２０３、液晶パネルによって構成される映像を表示する表示部２０４、視聴者毎に映像を挿入するか否かの情報を設定・保持する情報設定部２０５、映像を表示するか否かを指示する映像表示判定部２０６、表示装置全体の電源管理を行う電源制御部２０７と映像や各種設定値等を記憶する記憶部２０８によって構成される。
【００４０】
図７は、第２の実施形態における操作入力部２０１を示す機能ブロック図である。操作入力部２０１は、その後の行動を指定する行動指定部２０９、視聴者を判別する視聴者判別部２１０、表示装置２００において実行する機能を指定する機能指定部２１１、これらの情報を表示装置２００側へ送る例えば赤外通信部２１２によって構成される。
【００４１】
図８は処理の流れを示すフローチャート図であり、これに従い各部の機能詳細について説明する。
【００４２】
第１の実施形態の図３で示したのと同様な状況で、子供１１０が表示装置１００に代わり、表示装置２００の前で表示部２０４において表示されている映像を視聴しており、親１１１が操作入力部２０１で表示装置２００を操作するものとする。
【００４３】
リモコンである操作入力部２０１の外観図を図９に示す。操作入力部２０１には、行動指定部２０９、視聴者判別部２１０、機能指定部２１１がそれぞれ物理キーなどとして配置されている。
【００４４】
まず、操作入力部２０１において、視聴者判別部２１０により視聴者を判別する（ステップＳ２０）。ここでは、子供１、子供２の２種類とする。次に、行動指定部２０９によってテレビ視聴を終了した後の行動を決定し入力する（ステップＳ２１）。ここでは、外出、就寝、食事の３つの行動パターンが存在するものとする。そして、最後に機能指定部２１１によって実行する機能を決める（ステップＳ２２）。ここでは、電源のオフやチャンネルの切替であるとする。以下、視聴者判別部２１０で子供１を、行動指定部２０９で外出を、機能指定部２１１で電源のオフを選択したものとして説明を行う。
【００４５】
機能制御部２０２は、赤外線受光部を通じて操作入力部からの情報を受け取る。この情報を映像表示判定部２０６へと送り、映像表示判定部２０６は映像の挿入をするか否か、する場合はどの映像を表示（挿入）するかを決定する（ステップＳ２３）。
【００４６】
映像表示判定部２０６はまず、視聴者判別部２１０によって指定された情報に従い、情報設定部２０５に保持された視聴者ごとの情報を確認する。
【００４７】
このときの情報の一例を図１０に示す。例えば、家族に子供が２人いる場合、情報設定部２０５により、あらかじめ子供毎に設定を保存しておく。このときの保持している情報は、子供毎に、名前、年齢、各行動ボタンを押した際に表示する映像の情報によって構成される。
【００４８】
映像表示判定部２０６は、この情報を元に映像を挿入するか否かを判定する。前述のように、子供１が視聴者判別部２１０により指定され、映像視聴終了後の行動が外出である場合、図１０に示す情報に従い、映像表示判定部２０６は、映像１を挿入するよう機能制御部２０２へと送る。このとき表示される映像は、行動や個人に応じて変える。例えば、第１実施形態の図５で示した映像において、吹き出し１１８部分の表示を行動が「就寝」であった場合には、「○○君、お休み。続きはまた明日。」といったことを伝える内容を、「外出」の場合は、「また後で」といった外出後に再度続きを見ることができると示唆するような内容にすると良い。また、図５で示したキャラクタ１１７の部分は、子供に応じて子供の好きなキャラクタなどに変更すると良い。このように、行動毎に映像やメッセージを変化させて表示することにより、子供が映像を見続けることに執着しないようにし、次の行動を促す起因とすることが可能となる。また、個人毎に映像を用意することで、年齢や個人の嗜好に応じた映像とすることが出来、より効果を高めることが可能となる。
【００４９】
機能制御部２０２は、映像表示判定部２０６の判定結果に従い、映像表示する場合には表示制御部２０３に映像１を表示するよう指示を送り、表示制御部２０３は記憶部２０８から映像を読み出し、表示部２０４に表示する（ステップＳ２４）。ここでは、映像１が指定されているので映像１の映像を表示する。そして、映像１の表示が終わった段階で、表示装置の機能を実行する（ステップＳ２５）。ここでは、表示装置の電源をオフすることであり、機能制御部２０２は電源制御部２０７を通じて表示装置２００の電源をオフする。
【００５０】
なお、ここでは行動指定部２０９の行動パターンとして３つの例を挙げているが、これ以外のパターンであっても良く、より多くの行動パターンを用意して良い。また、視聴者判別部２１０についても子供２人を例に挙げたが、家族構成に応じて、あるいは頻繁に出入りする人物を追加するなど、２人に限らず１人、あるいはこれ以上の登録が出来るようにしても良い。
【００５１】
また、行動指定部２０９や視聴者判別部２１０、機能指定部２１１は操作入力部２０１にあるものとして説明したが、表示装置２００側にあっても良い。
【００５２】
本実施の形態によれば、子供や行動パターンに応じて、それにふさわしい異なる映像を用意することで、よりわかりやすいメッセージを子供に提示することが可能になり、次の行動を促す起因としてより適切なものとなる。また、メッセージ映像を複数用意し、子供毎、行動毎に最も効果的なメッセージを学習させるようにしても良い。映像入力部で、あるメッセージ映像を出したときの子供の行動を記憶しておき、より適切なメッセージ映像を選択又は修正等するようにしても良い。
【００５３】
（第３の実施形態）
本発明の第３の実施形態について、図面を参照しながら説明する。図１１は、本発明の第３の実施形態における表示装置の構成を示すブロック図である。なお、本実施形態は第２の実施形態の変形例である。そのため、第２の実施形態と同様の働きをする構成部については第２の実施形態と同様の番号を付してある。主に第２の実施形態との差分についてのみ記載する。
【００５４】
表示装置３００は例えば液晶表示装置であり、液晶表示装置３００を操作するためのユーザーからの入力を受け付けるリモコンである操作入力部２０１、操作入力部２０１からの入力に従い、表示装置３００を制御する機能制御部３０３、表示部２０４に表示する表示内容や画質等を制御する表示制御部３０４、液晶パネルなどによって構成される映像を表示する表示部２０４、視聴者毎に映像を挿入するか否かの情報を設定・保持する情報設定部２０５、映像を表示するか否かを指示する映像表示判定部２０６、表示装置全体の電源管理を行う電源制御部２０７、外部機器との通信を行う通信部３０２によって構成される。
【００５５】
表示装置３００は、通信部３０２を介して外部記録装置３０１と接続されている。外部記録装置３０１はハードディスクレコーダーやＤＶＤレコーダー等であり、ここではハードディスクレコーダーを例とする。外部記録装置３０１は、通信を行う通信部３０５と、外部記録装置３０１の機能を制御する機能制御部３０６と、映像を記憶するハードディスクである記憶部３０７と、放送波を受信するチューナーを含み記憶部３０７に映像を記録する録画機能部３０８と、によって構成される。通信部３０２と通信部３０５とは、ここでは有線ＬＡＮ（Local Area Network）接続とするが、無線ＬＡＮでも良く、例えばＨＤＭＩ（High Definition Multimedia Interface）のようなケーブル接続であっても良い。
【００５６】
図１２は処理の流れを示すフローチャート図であり、第２の実施形態との差分である処理Ａ（ステップＳ３０）について説明する。処理Ａについて、図１３のフローチャート図に示す。
【００５７】
外部記録装置３０１に記憶されている映像についての情報は、あらかじめ通信部３０２を通して、表示装置３００上に保持しているとする。映像表示判定部２０６により、挿入する映像に関する情報が機能制御部３０３に送られた時、機能制御部３０３は、通信部３０２からどの映像を再生するかという映像情報を外部記録装置３０１へ送る（ステップＳ３１）。この時、機能制御部３０３は表示制御部３０４を通じて現在表示している映像が、放送波か、外部記憶装置の録画コンテンツ等の外部入力による映像か否かを調べる（ステップＳ３２）。現在表示中の番組が放送波であった場合、機能制御部３０３は通信部３０２から現在表示中の放送波番組を録画するよう録画情報を送る（ステップＳ３３）。
【００５８】
外部記録装置３０１は、表示装置３００から情報が送られてきた際には、通信部３０５を通じて情報を受信し（ステップＳ３４）、外部記録装置３０１の機能制御部３０６は送られてきた情報に録画情報が存在するか否かを調べる（ステップＳ３５）。機能制御部３０６は、録画情報が存在する場合（Ｙ）、録画機能部３０８を通じ、録画情報により指定された番組を記憶部３０７に録画する（ステップＳ３６）。そして、機能制御部３０６は映像情報により指定される表示装置３００で表示する映像を記憶部３０７から読み出し、通信部３０５を通じて表示装置３００へ送る（ステップＳ３７・Ｓ３８）。録画情報が存在しない場合（ステップＳ３５でＮ）は、ステップＳ３７に進む。
【００５９】
このように、映像表示時に表示中の映像が放送波であった場合には、後日、その時点から視聴することが可能になるよう、外部記録装置３０１によって録画する。子供に視聴を止めさせた後、時間をおいて続きを見たがった場合に、録画済みコンテンツやパッケージ販売されている番組ではなく放送波であっても続きを視聴できるようにすることが可能となる。このようにすることで、子供に映像視聴を止めさせた場合にも後で続きを見られることを保証する事が出来、図５で示したような映像を挿入した場合に、視聴を止めても後で見られるという安心感を与える。従って、映像表示の効果を高めることが出来る。
【００６０】
なお、本実施の形態では、外部記録装置３０１と表示装置３００を用いた例を示したが、外部記録装置３０１と同様の機能を表示装置３００内に内蔵する構成であっても良い。また、ここでは視聴中の映像が放送波であった場合に録画することを示したが、録画済みコンテンツであった場合にはその映像が削除されないようロックしても良い。ロックする事により、後日子供が見たがった場合に映像が視聴できなくなることを防止できる。
【００６１】
（第４の実施形態）
本発明の第４の実施形態について、図面を参照しながら説明する。図１４は、本発明の第４の実施形態における表示装置の一構成例を示す機能ブロック図である。尚、本実施形態は第２の実施形態の変形例である。そのため、第２の実施形態と同様の働きをする構成部については第２の実施形態と同様の番号を付してある。主に第２の実施形態との差分について記載する。
【００６２】
表示装置４００は液晶表示装置であり、液晶表示装置４００を操作するためのユーザーからの入力を受け付けるリモコンである操作入力部２０１、操作入力部２０１からの入力に従い、表示装置４００を制御する機能制御部４０１、表示部２０４に表示する表示内容や画質等を制御する表示制御部２０３、液晶パネルによって構成される映像を表示する表示部２０４、視聴者毎に映像を挿入するか否かの情報を設定・保持する情報設定部２０５、映像を表示するか否かを指示する映像表示判定部４０２、表示装置全体の電源管理を行う電源制御部２０７と映像や各種設定値等を記憶する記憶部２０８、時間によって映像を挿入するか否かを判定する事が出来る時間判定部４０３、ネットワークを通じて外部サーバーと通信する事が可能な通信部４０４によって構成される。
【００６３】
時間判定部４０３には、ユーザーが操作入力部２０１を使って特定の時間になった状態で特定の映像を挿入するよう設定しておく。そして、時間判定部４０３は内部に保持する時間情報を元に、設定した特定の時間になったか否かを判定し、特定の時間になった場合には、映像表示をするよう映像表示判定部４０２に指示を出す。
【００６４】
このように、あらかじめ時間と挿入するメッセージ映像とを組にして設定しておくことで、例えば、毎日子供が外出する時間が決まっているなど、時間に対応した行動が決まっている場合に、操作入力部２０１で毎回指定することなく、図５で示したような行動に応じて決められた映像を自動で表示し、子供に映像視聴を止めさせることが可能となる。また、子供が複数人いる場合などは、子供毎にこれらの設定を行うことで、子供毎に外出や睡眠の時間が異なる場合にも自動で対応することが可能になる。また、同時に時間に応じて表示する映像と共に、表示装置の電源オフといった特定の映像表示後に実行する表示装置の特定の機能を保存しておいても良い。これにより、子供に映像視聴を止めることを促すと共に、実際に電源オフなどの特定の機能を行う事で、そこで映像視聴を中止する必要があることをより強く促す事が可能となる。
【００６５】
また、機能制御部４０１は、ネットワークを通じて外部サーバーと接続することが可能な通信部４０４を通じて、外部サーバーから適宜コンテンツを取得し、記憶部２０８に記録しておくことが出来る。これにより、第２の実施形態で示した行動に応じて挿入するコンテンツをユーザーが外部サーバーに保存された各種映像から指定する、あるいは自動で目的にあった映像コンテンツを取得し、日替わりで異なる映像を表示する、と行った事が可能となる。
【００６６】
（第５の実施形態）
本発明の第５の実施形態について、図面を参照しながら説明する。図１５は、本発明の第５の実施形態における表示装置の構成を示すブロック図である。本実施形態は上述の各実施形態で記載した内容を実現する別の一構成例であり、操作入力部側で同様の機能を実現する物である。
【００６７】
表示装置５００は液晶表示装置であり、液晶表示装置５００を操作するためのユーザーからの入力を受け付けるリモコンである操作入力部５０１、操作入力部５０１から入力や映像を受信する通信部５０２、表示装置５００を制御する機能制御部５０３、表示部５０５に表示する表示内容や画質等を制御する表示制御部５０４、液晶パネルによって構成される映像を表示する表示部５０５、表示装置全体の電源管理を行う電源制御部５０６によって構成される。また、操作入力部５０１はタブレット端末やスマートフォンであり、図１６に示すように操作者からの入力を受け付けると共に映像を表示する液晶タッチパネルである表示入力部５０７と、その後の行動を指定する行動指定部５０８、視聴者を判別する視聴者判別部５０９、表示装置において実行する機能を指定する機能指定部５１０、視聴者毎に映像を挿入するか否かの情報を設定・保持する情報設定部５１１、映像を表示するか否かを指示する映像表示判定部５１２、表示入力部５０７の表示を制御する表示制御部５１３、操作入力部の機能を制御する機能制御部５１４、表示装置５００に表示制御機能を制御する情報や映像を送る通信部５１５、映像を記憶する記憶部５１６によって構成される。
【００６８】
本実施形態の構成において、第２の実施形態において表示装置部側に備えていた、情報設定部、映像表示判定部、及び表示する映像を保持する記憶部５１６を全て操作入力部５０１側に備えている点が異なる。操作入力部５０１側において、第２の実施形態と同様、行動指定部５０８、視聴者判別部５０９、機能指定部５１０からの情報を元に、情報設定部５１１に保持された情報と照らし合わせ、映像表示判定部５１２は機能指定部によって指定された機能を実行する前に特定の映像を表示するかどうかを判定する。映像を表示する際には、操作入力部５０１における機能制御部５１４は記憶部５１６から特定の映像を読み出し、通信部５１５を通じて表示装置５００へ送る。表示装置５００は、通信部５０２によって受信した映像を表示する。操作入力部の機能制御部５１４は映像表示が終了した場合、機能指定部によって指定された機能を実行する為の情報を通信部５１５を通じて表示装置５００へと送り、表示装置５００側は、通信部５０２によって情報を受信し表示装置５００の機能制御部５０３は、この情報に従い表示装置側の機能を実行する。
【００６９】
なお、本実施形態において、操作入力部側で表示装置の機能実行前に特定の映像を表示する機能を実現する構成について示したが、操作入力部に限らず実施形態３において示した外部記録装置のような表示装置に映像を表示可能な機器であれば、これらに同様の機能を実装するようにしても良い。
【００７０】
なお、第１の実施形態で示したように映像入力部を備える場合、その子供が表示装置を視聴しているか否かを判定して、いる場合のみ時間に応じて映像を挿入するようにしても良い。これにより、不要な映像表示を避け、対象者である子供がいない場合にも動作してしまうのを防ぐことが可能になる。
【００７１】
なお、ここで記載した各実施形態では主に子供として記載しているが、老人や知的障害者向けに映像を変えて、同様な機能を実現しても良い。
【００７２】
また、本発明は上述した各実施形態に限定されるものではなく、請求項に示した範囲で種々の変更が可能であり、異なる実施形態にそれぞれ開示された技術的部を適宜組み合わせて得られる実施形態についても本発明の技術的範囲に含まれる。
【００７３】
（付記）本発明は以下の開示を含む。
（１）映像を表示する表示部と、前記表示部に表示する映像を制御する表示制御部と、表示装置を操作するための情報を入力する操作入力部と、表示装置を使用する視聴者を判別する視聴者判別部と、を備える表示装置であって、
前記視聴者判別部の判別結果を元に特定の映像を表示するか否かを判定する映像表示判定部を更に備え、
前記表示 装置の特定の機能を実行する際に、
前記映像表示判定部は前記視聴者判別部によって判別される視聴者が所定の条件を満たすか否かによって特定の映像を表示するか否かを判定し、
前記映像表示判定部が特定の映像を表示すると判定した際には、
前記表示制御部は、前記表示装置の特定の機能を実行する前に特定の映像を表示することを特徴とする表示装置。
【００７４】
上記表示装置においては、例えば視聴者が子供である場合に、表示装置の特定の機能を実行する際に可能な限り子供が泣き出したりせず、映像の視聴を途中でやめさせ、次の行動に移ることを促すことが可能である。
【００７５】
なお、ここで言う表示装置の特定の機能とは、実施例中に記載した電源のオフやチャンネルの切替、画面入力の切替など、現在視聴中の映像を中断させる機能を示す。
【００７６】
（２）前記表示制御部によって表示される特定の映像は、
前記視聴者判別部の判別結果に基づいて選択され、視聴者ごと、あるいは視聴者の年齢毎に決められた、前記表示装置の特定の機能の実行に先立って表示される前記視聴者へ向けたメッセージを示すメッセージ映像であることを特徴とする（１）に記載の表示装置。
メッセージ映像として特定の映像を提示することで、子供にもわかりやすくなる。
【００７７】
（３）表示装置の視聴後に視聴者に促す行動を指定する行動指定部を更に備え、
前記メッセージ映像は、前記行動指定部によって指定される行動に依存して異なる映像であることを特徴とする（２）に記載の表示装置。
【００７８】
メッセージ映像を、行動に依存して異ならせることで、子供にもわかりやすく電源オフの理由を知らせることができる。
【００７９】
（４）表示装置を使用する視聴者の映像を入力する映像入力部を更に備え、
前記視聴者判別部は、前記映像入力部によって入力された画像から顔検出により視聴者を判別することを特徴とする（１）から（３）までのいずれか１に記載の表示装置。
【００８０】
（５）前記特定のメッセージ映像を表示する時間を判定する時間判定部を更に備え、
前記行動指定部によって前記時間に対応した行動を記憶すると共に、
前記時間に対応した前記表示装置の特定の機能を記憶しておき、
前記時間判定部が、メッセージ映像を表示する時間であると判定した場合に、前記行動指定部によって指定された行動に従ったメッセージを表示した後、前記特定の機能を実行することを特徴とする（４）に記載の表示装置。
【００８１】
（６）前記メッセージ映像と電源オフ後の視聴者の行動とを記憶しておき、電源オフ後の行動として期待できる行動を生じさせるメッセージ画像を抽出することを特徴とする（４）に記載の表示装置。
有効なメッセージ映像を適宜提供することができる。
【００８２】
（７）映像表示時に表示中の映像が放送波であった場合には、前記表示装置をオフしたタイミングから視聴することが可能になるよう、外部記録装置に後続の放送を録画することを特徴とする（１）から（６）までのいずれか１に記載の表示装置。
【００８３】
（８）映像を表示する表示ステップと、
前記表示部に表示する映像を制御する表示ステップと、
表示装置を操作するための情報を入力する操作入力ステップと、
表示装置を使用する視聴者を判別する視聴者別ステップと、を備える表示制御方法であって、
前記視聴者判別ステップの判別結果を元に特定の映像を挿入するか否かを判定する映像表示判定ステップを更に備え、
前記操作入力部を通じて表示装置の特定の機能を実行するよう操作入力があった際に、
前記映像表示判定ステップは前記視聴者判別ステップによって判別される視聴者が所定の条件を満たすか否かによって特定の映像を表示するか否かを判定し、
前記映像表示判定ステップが特定の映像を表示すると判定した際には、
前記表示制御ステップは、前記の特定の機能を実行する前に特定の映像を表示することを特徴とする表示制御方法。
【００８４】
（９）コンピュータに上記（８）に記載の表示制御方法を実行させるためのプログラム。
【００８５】
（１０）上記（９）に記載のプログラムを記録するコンピュータ読み取り可能な記録媒体。
【００８６】
また、本発明の各構成要素は、任意に取捨選択することができ、取捨選択した構成を具備する発明も本発明に含まれるものである。
【００８７】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【００８８】
また、「コンピュータシステム」は、ＷＷＷシステムを利用している場合であれば、ホームページ提供環境（あるいは表示環境）も含むものとする。
【００８９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。機能の少なくとも一部は、集積回路などのハードウェアで実現しても良い。
【産業上の利用可能性】
【００９０】
本発明は、表示装置に利用可能である。
【符号の説明】
【００９１】
１００…表示装置、１０１…操作入力部、１０２…機能制御部、１０３…表示制御部、１０４…表示部、１０５…映像入力部、１０６…視聴者判別部、１０７…映像表示判定部、１０８…電源制御部、１０９…記憶部。
【図１】
2014212486.tif 000003
【図２】
2014212486.tif 000004
【図３】
2014212486.tif 000005
【図４】
2014212486.tif 000006
【図５】
2014212486.tif 000007
【図６】
2014212486.tif 000008
【図７】
2014212486.tif 000009
【図８】
2014212486.tif 000010
【図９】
2014212486.tif 000011
【図１０】
2014212486.tif 000012
【図１１】
2014212486.tif 000013
【図１２】
2014212486.tif 000014
【図１３】
2014212486.tif 000015
【図１４】
2014212486.tif 000016
【図１５】
2014212486.tif 000017
【図１６】
2014212486.tif 000018